(57)【要約】      （修正有）【課題】ゴルフのパッティングにおいて、芯を少々外しても転がりが変わらないとすれば、ストロークを緊張せず安心してできるゴルフパターを提供する。【解決手段】パターフェースの幅を１．５ｃｍ〜３．０ｃｍの細長の均一幅とし、フェース面側および背面側から６０度〜９０度の影響線を対象に描き、芯を外してもよいとする距離分だけ離れた点からも同じく影響線を描けば、芯からの力の伝わり方、分散がイメージでき、また芯を外れても広い範囲で受け止めてくれる安心感から、緊張もなくなる。【選択図】図３
2016152843.tif 000002
【特許請求の範囲】
【請求項１】
パターヘッドのフェース直角方向の幅を、少なくとも影響線の範囲内で１．５ｃｍ〜３．０ｃｍの均一幅とし、フェースの打点、芯の上となるパターヘッドの上表面に、頂角が６０度〜９０度の２等辺三角形の主働の影響線を、パターのフェース面側の芯を外してもよいとする幅以内から描き、併せてそれと対称となる受動の影響線をパターの背面部から交差して描いたことを特徴とするゴルフパター。
【請求項２】
パターヘッドの前記影響線を全体的に均等間隔としたことを特徴とする請求項１に記載のゴルフパター。
【請求項３】
フェースの打点、芯の上となる近傍のパターヘッドの上表面に、芯を外してもよいとする幅以内に印、マークを施したことを特徴とする請求項１または請求項２に記載のゴルフパター。
【発明の詳細な説明】
【技術分野】
【０００１】
本発明は、パッティング時に芯を少々外しても転がりに影響の少ないゴルフパターに関する。
【背景技術】
【０００２】
ゴルフのパッティングにおいて、パターヘッドの芯で打つことは基本である。ところがアマチュアゴルファーは芯でとらえることが難しい。たびたび芯を外すといえる。そのたびに転がりが悪いとスコアにならない。芯を少し外しても転がりに影響の少ないパターが期待される。特許電子図書館でキーワード「ゴルフパター」、「芯」、「均一」で検索した結果、１件有り、（特許文献１）は、２重とした構造の後方からネックを取り付け、フェースからそのネックを離すことでスイートスポットを広くしたもので、ボールを打った時に均一に力が加わるとしている。本願発明では、パター重量をボールの反力の影響範囲、セグメントで均一とし、芯を外してもよい範囲で影響線を描くもので明らかに異なる。
【先行技術文献】
【特許文献】
【０００３】
【特許文献１】特開２００２−０４５４４７
【発明の概要】
【発明が解決しようとする課題】
【０００４】
芯を外してもある程度いい転がりを得たいのがアマチュアの願い。パターヘッドが大きいと少しのずれでも軌道のずれに影響しやすい。パターヘッドが軽くてもボールの重さに負けて極端な影響が出る。そこで、頃合いの重さとすればよいことが分かる。芯を外れてもそれほど変わらない影響範囲であれば、言い換えればどこを打っても芯の感覚を得ることができれば、ベストといえる。ここで単純に考えると、ボールとフェース面が衝突するとその反力の影響が、フェース面の１つの打点、芯を頂点として、パターヘッドの物体内に円錐状に波及するといえる。芯を外すといえど、その芯の打点から半径０．５ｃｍ程度の円の範囲内と考えられ、そこから今度は、半径０．５ｃｍの円の面を頂点面とする円錐台内で波及すると考えられる。上から平面的にみると、前者は鋭い頂角を持った三角形であり、後者は穏やかな台形といえる。一方、上級者は、故意に芯を外す場合もある。フックライン、スライスライン、下り勾配などでは上級者は芯を外して打つ場合がある。そこで、芯を外してもよいとする距離は多くみて芯から１．０ｃｍといえる。パターヘッド上表面に芯を外してもよいとする印、マークを描くとすれば、その芯を外してもよいとする幅は中心から両側の幅で、最大で２倍の２．０ｃｍとなる。物体に広がる影響線の角度は、円錐の頂角が６０度〜９０度の範囲と想定される。ここで、パターフェース面から６０度の頂角でパターヘッドの背面までの幅内に円錐状に拡散するとする。この反力をパターの円錐のセグメントの重さで受け止めるためには、衝撃係数を省略してボールの重さ以上の対抗重量が必要である。ボールの重さを４５ｇ、パターヘッドの材質を、ステンレス、鋳物、鋼とし単位重量を７．８ｇ／ｃｍ３とすればパターヘッドの背面までの幅Aは、円錐の体積＊７．８＝π＊A／√３＊A／√３＊A／３＊７．８＝４５の関係式からA＝２．５５ｃｍとなる。また、頂角を９０度とするとセグメントの円錐では、同じくパターヘッドの背面までの幅Bは、円錐の体積＊７．８＝π＊B＊B＊B／３＊７．８＝４５の関係式からB＝１．７７ｃｍとなる。現実のパターには、衝撃係数分の増加重量がかかるが、パター本体はセグメントの連続体なので衝撃係数程度は吸収するといえる。パターヘッドが薄いとしても、むしろ、しっかりヒットすることとなるので重量不足以上の補いがあるといえる。そこで、大まかにフェース直角方向の受け止める背面までの幅は、誤差や余裕を考慮して均一幅で１．５ｃｍ〜３．０ｃｍの範囲と言えそうである。
【０００５】
パッティングのインパクトにおいて、反力が分散する考え方と同様に、パターヘッドのフェース面の反対側の背面から力を受け止めるとも考えられる。いわゆる、前者が主働の影響であり、後者が受動の影響である。６０度、９０度の頂角の逆円錐形の受け皿で反力を受け止めるとも考えられる。このインパクトに耐える影響範囲がパターフェースに沿って均一化していれば少々芯が外れても差ほどの影響を受けないと考えられる。影響が均一でなくなるのは影響線の頂角が６０度、９０度の線が描けなくなるパターフェースの長手方向の端部やシャフトの付け根部分である。パッティングでは集中力が大切なことも間違いないことである。パターヘッド上表面に６０度線、９０度線を主働方向、受動方向に幾何学的に交差して描けば集中しやすく手ごたえの伝達範囲もイメージできる。少々芯を外しても円錐台、ヘッドの上表面では台形で幅広く受けてくれるという安心感で課題は解決するといえる。
【課題を解決するための手段】
【０００６】
このような課題を解決するために、本発明のゴルフパターは、パターヘッドのフェース直角方向の幅を、少なくとも影響線の範囲内で１．５ｃｍ〜３．０ｃｍの均一幅とし、フェースの打点、芯の上となるパターヘッドの上表面に、頂角が６０度〜９０度の２等辺三角形の主働の影響線を、パターのフェース面側の芯を外してもよいとする幅以内から描き、併せてそれと対称となる受動の影響線をパターの背面部から交差して描いたことを特徴とする。芯を外してもよいとする幅とは、パターヘッドの上表面に表示するマーク長で２．０ｃｍ以内とする。
【０００７】
また、本発明のゴルフパターは、パターヘッドの前記影響線を全体的に均等間隔としたことを特徴とする。均等間隔とは、小数点以下が続く場合とかで、全体的に切りのいいところの均等割りとなる範囲をいう。
【０００８】
また、本発明のゴルフパターは、フェースの打点、芯の上となる近傍のパターヘッドの上表面に、芯を外してもよいとする幅以内に印、マークを施したことを特徴とする。
【発明の効果】
【０００９】
パターヘッドのフェース直角方向の幅を均一とすれば、パターフェースの長手方向に均一な反力を得られる範囲が広くなる。同時に、芯の範囲が広くなり、このことでいわゆる芯を多少外してもいい転がりが得られるとなれば、緊張もなくなる。６０度〜９０度の範囲で打点反力を分散してくれるとイメージすれば、そして受け止めてくれる範囲が広いと意識すれば、伸び伸びとパッティングができ、スコア上も飛躍的に向上する。
【図面の簡単な説明】
【００１０】
【図１】パターフェース面の打点とそこからのボール反発の影響線が、頂角を６０度とする円錐状に拡散するイメージ図
【図２】パターフェース面の打点が、芯から０．５ｃｍほど外れ、直径１．０ｃｍの円内にあるとする場合、ボールの反発の影響線が頂角６０度の円錐台状に拡散するイメージ図
【図３】１．８ｃｍの均一なフェース幅としたパターヘッドの上表面に、芯からの外れを０．６ｃｍとして９０度の頂角の影響線を、０．３ｃｍの等間隔で描いたパターの平面図。芯を外してもよいとするパターヘッドの上表面のマーク長さは１．２ｃｍとしている。
【図４】２．６ｃｍの均一なフェース幅としたパターヘッドの上表面に、芯からの外れを約０．５ｃｍとして６０度の頂角の影響線を描いたパターの平面図。芯を外してもよいとするパターヘッドの上表面のマーク長さは１．０ｃｍとしている。
【発明を実施するための形態】
【００１１】
ボールの打撃に負けない反力となるフェースの幅を長手方向に均一幅で確保する。パター上表面の６０度〜９０度の影響線が反力の分散、受け皿のイメージを高める。芯を外れてもよい中心からの距離は１．０ｃｍ、幅は倍の２．０ｃｍであるとするが、影響線は等分割に描くと幾何学的にも美しい。芯を外してもよいとする距離は最大で１．０ｃｍで、パターヘッド上表面に描くマーク長は最大で２．０ｃｍとなる。分割幅に合わせてマーク長を設定することになるが、逆に言えば分割幅の整数倍でマーク幅を決めるとよい。ただし、頂角が６０度の場合は、平方根の小数点以下が続くので、全体的に切りのいいところの均等割りとなることはやむを得ない範囲といえる。
【実施例１】
【００１２】
図３に１．８ｃｍの均一なフェース幅としたパターヘッドの上表面に、芯からの外れを０．６ｃｍとして９０度の頂角の影響線を、フェース表面側から主働の影響線、その背面側から受働の影響線を０．３ｃｍの等間隔で描いた平面図を示す。
【実施例２】
【００１３】
図４に２．６ｃｍの均一なフェース幅としたパターヘッドの上表面に、芯からの外れを約０．５ｃｍとして６０度の頂角の影響線を、フェース表面側から主働の影響線、その背面側から受働の影響線を約０．５ｃｍの等間隔で描いたパターの平面図に示す。
【実施例３】
【００１４】
芯を外してもよいとする中心からの距離を１．０ｃｍ以内とし、パター幅に応じて影響線間隔が変わるので均等割り付けを考慮したマークをフェース側に施す。図３のケースでは１．２ｃｍ、図４のケースでは１．０ｃｍの長さとなる。後方の小さな３角形内にマーキングすることも考えられる。
【符号の説明】
【００１５】
１  パターヘッド
２  パターヘッドのフェース部
３  パターヘッドのシャフト部
４  パターヘッド、フェースの背面部
５  ボール
６  パターのフェース面の打点、または芯
７  反発の影響線の拡散と一致する円錐
８  芯を外した反発の影響線の拡散と一致する円錐台
９  ２等辺三角形の頂角を９０度とする主働の影響線
１０  ２等辺三角形の頂角を９０度とする受動の影響線
１１  ２等辺三角形の頂角を６０度とする主働の影響線
１２  ２等辺三角形の頂角を６０度とする受動の影響線
１３  等間隔に分割した影響線  
１４  パターフェースの打点、芯のパターヘッド上表部に、芯を外してもよいとする長さで描いたマーク
１５  頂角
【図１】
2016152843.tif 000003
【図２】
2016152843.tif 000004
【図３】
2016152843.tif 000005
【図４】
2016152843.tif 000006